(57)【要約】【課題】コントローラーの設置場所が制限されず、機器（例えばエアコン）の動作をコントロールすることができる給気装置を提供することを目的とする。【解決手段】動作信号送信素子１１を有した可動制御基板１２を複数の固定ができる構成にしたことにより、コントローラー５の設置場所を変えずに動作信号２０の範囲を変えることを可能にすることで、コントローラー５の設置場所に制限されず、機器４（例えばエアコン）をコントロールできる給気装置を得られる。【選択図】図２
2014119151.tif 000002
【特許請求の範囲】
【請求項１】
家屋の室内の天面または壁面または床面に設置する吹出口と、前記家屋の床下に前記吹出口と配管部により接続される補助ファンと、前記室内の前記壁面に設置するコントローラーと、前記コントローラーの内部に互いに通信可能な固定制御基板と動作信号送信素子を有した可動制御基板を囲うケースとを備え、前記コントローラーは前記補助ファンをコントロールするとともに受信部を有し前記室内に設置された機器に対して動作信号を送信し、前記可動制御基板を複数の固定ができるようにしたことを特徴とした給気装置。
【請求項２】
可動制御基板に複数の穴を設けるとともに、ケースに複数の穴を有した固定用穴を設けることを特徴とした請求項１に記載の給気装置。
【発明の詳細な説明】
【技術分野】
【０００１】
本発明は、床下から室内に空気を送り込む給気装置のコントローラーに関するものである。
【背景技術】
【０００２】
従来、この種のコントローラーは、機器（例えばエアコン）に動作信号を送信することで、機器（例えばエアコン）をコントロールするものが知られている（例えば、特許文献１参照）。
【０００３】
以下、そのコントローラーについて図１３を参照しながら説明する。
【０００４】
図１３に示すように、家屋の室内１０１の壁面に設置された送信部１０２を設けたコントローラー１０３は、家屋の室内の天面に設置された受信部１０４を設けた機器１０５に、送信部１０２から動作信号１０６を送信することで機器１０５をコントロールしていた。
【先行技術文献】
【特許文献】
【０００５】
【特許文献１】特開平８−４２９０７号公報
【発明の概要】
【発明が解決しようとする課題】
【０００６】
このような従来のコントローラーにおいては、機器（例えばエアコン）が動作信号送信の範囲外に設置された時には機器（例えばエアコン）の受信部へ動作信号を送信することができず、コントロールできないため、コントローラーの設置場所が制限されていたという課題を有していた。
【０００７】
そこで本発明は、上記従来の課題を解決するものであり、コントローラーの設置場所が制限されず、機器（例えばエアコン）をコントロールすることができる給気装置を提供することを目的とする。
【課題を解決するための手段】
【０００８】
そして、この目的を達成するために、
本発明は、
家屋の室内の天面または壁面または床面に設置する吹出口と、前記家屋の床下に前記吹出口と配管部により接続される補助ファンと、前記室内の前記壁面に設置するコントローラーと、前記コントローラーの内部に互いに通信可能な固定制御基板と動作信号送信素子を有した可動制御基板を囲うケースとを備え、前記コントローラーは前記補助ファンをコントロールするとともに受信部を有し前記室内に設置された機器に対して動作信号を送信し、前記可動制御基板を複数の固定ができるようにしたことを特徴としたものであり、これにより所期の目的を達成するものである。
【発明の効果】
【０００９】
本発明によれば、家屋の室内の天面または壁面または床面に設置する吹出口と、前記家屋の床下に前記吹出口と配管部により接続される補助ファンと、前記室内の前記壁面に設置するコントローラーと、前記コントローラーの内部に互いに通信可能な固定制御基板と動作信号送信素子を有した可動制御基板を囲うケースとを備え、前記コントローラーは前記補助ファンをコントロールするとともに受信部を有し前記室内に設置された機器に対して動作信号を送信し、前記可動制御基板を複数の固定ができるようにした構成にしたことにより、可動制御基板の位置を変え、動作信号送信素子から送信される動作信号の範囲を複数の固定によって変更することができ、その結果、動作信号が機器（例えばエアコン）の受信部に対して送信されるように、可動制御基板を固定することができる。
【００１０】
つまり、コントローラーの設置場所を変えずに動作信号の範囲を変えることができるため、コントローラーの設置場所に制限されず、機器（例えばエアコン）をコントロールすることができるという効果を奏する。
【図面の簡単な説明】
【００１１】
【図１】本発明の実施の形態１の給気装置の設置例の側概略図
【図２】（ａ）同コントローラーの斜視図、（ｂ）同コントローラーの分解斜視図
【図３】（ａ）同可動制御基板の固定例の分解斜視図、（ｂ）同可動制御基板の（ａ）とは別の固定例の分解斜視図、（ｃ）同可動制御基板の固定例の詳細正面図、（ｄ）同可動制御基板の（ａ）とは別の固定例の詳細正面図
【図４】同可動制御基板の形状例の分解斜視図
【図５】（ａ）同ケースの形状例と同可動制御基板の固定例との分解正面図、（ｂ）同ケースの形状例と同可動制御基板の固定例との分解背面図
【図６】同動作信号フィルターの形状例の斜視図
【図７】（ａ）本発明の実施の形態２の給気装置のコントローラーの斜視図、（ｂ）同コントローラーの分解斜視図
【図８】（ａ）同可動制御基板の固定例の分解斜視図、（ｂ）同可動制御基板の（ａ）とは別の固定例の分解斜視図、（ｃ）同可動制御基板の固定例の詳細正面図、（ｄ）同可動制御基板の（ａ）とは別の固定例の詳細正面図
【図９】（ａ）本発明の実施の形態３の給気装置のコントローラーの斜視図、（ｂ）同コントローラーの分解斜視図
【図１０】（ａ）同可動制御基板の固定例の分解斜視図、（ｂ）同可動制御基板の（ａ）とは別の固定例の分解斜視図、（ｃ）同可動制御基板の固定例の詳細正面図、（ｄ）同可動制御基板の（ａ）とは別の固定例の詳細正面図
【図１１】（ａ）本発明の実施の形態４の給気装置のコントローラーの斜視図、（ｂ）同コントローラーの分解斜視図、（ｃ）同可動部の詳細斜視図
【図１２】（ａ）同可動制御基板の固定例の分解斜視図、（ｂ）同可動制御基板の（ａ）とは別の固定例の分解斜視図、（ｃ）同可動制御基板の固定例の詳細正面図、（ｄ）同可動制御基板の（ａ）とは別の固定例の詳細正面図
【図１３】従来の給気装置の設置例を示す側概略図
【発明を実施するための形態】
【００１２】
本発明の請求項１記載の給気装置は、
家屋の室内の天面または壁面または床面に設置する吹出口と、前記家屋の床下に前記吹出口と配管部により接続される補助ファンと、前記室内の前記壁面に設置するコントローラーと、前記コントローラーの内部に互いに通信可能な固定制御基板と動作信号送信素子を有した可動制御基板を囲うケースとを備え、前記コントローラーは前記補助ファンをコントロールするとともに受信部を有し前記室内に設置された機器に対して動作信号を送信し、前記可動制御基板を複数の固定ができるようにしたことを特徴したという構成を有する。
【００１３】
これにより、可動制御基板の位置を変えることにより、動作信号送信素子から送信される動作信号の範囲を複数の固定によって変更することができ、その結果、動作信号が機器（例えばエアコン）の受信部に対して送信されるように、可動制御基板を固定することができる。
【００１４】
つまり、コントローラーの設置場所を変えずに動作信号の範囲を変えることができるため、コントローラーの設置場所に制限されず、機器（例えばエアコン）をコントロールすることができるという効果を奏する。
【００１５】
また、可動制御基板に複数の穴を設けるとともに、ケースに複数の穴を有した固定用穴を設けることを特徴としたという構成にしてもよい。
【００１６】
これにより、可動制御基板を、可動制御基板中心を通過し可動制御基板面に対して垂直な軸を基軸に回転させることにより、動作信号送信素子から送信される動作信号の範囲を、可動制御基板中心を通過し可動制御基板面に対して垂直な軸を基軸に回転させて変更することができ、その結果、動作信号が機器（例えばエアコン）の受信部に対して送信されるように、可動制御基板を固定することができる。
【００１７】
つまり、コントローラーの設置場所を変えずに動作信号の範囲を変えることができるため、コントローラーの設置場所に制限されず、機器（例えばエアコン）をコントロールすることができるという効果を奏する。
【００１８】
以下、本発明の実施の形態について図面を参照しながら説明する。
【００１９】
（実施の形態１）
図１に示すように、空気を室内に供給する給気装置１は、室内２の壁面に設置され受信部３を有した機器４（例えばエアコン）に対して動作信号２０を送信することにより機器４の動作をコントロールするコントローラー５と、床下６内に設置され、コントローラー５と配線７により接続されて動作をコントロールする補助ファン８（例えば、静圧が確保できるシロッコファン）と、室内２の天面に設置され、補助ファン８と配管部９により接続されて空気を室内２へ吹出す吹出口１０とを備えている。
【００２０】
図２に示すように、コントローラー５は、動作信号送信素子１１を有した可動制御基板１２と、固定制御基板１３とを上ケース１４と下ケース１５とで係合部（図示せず）を介して囲う構成となっている。
【００２１】
可動制御基板１２には、可動制御基板１２の中心を通過し可動制御基板１２の面に対して垂直な軸を基軸に複数の貫通穴１６が設けられており、下ケース１５にも同様に可動制御基板１２の中心を通過し可動制御基板１２の面に対して垂直な軸を基軸に複数の固定用穴１７が設けられている。
【００２２】
なお、固定用穴１７はこの実施の形態では８個としているが、多ければ多いほど良いが、最低貫通穴１６と同数を設ける。
【００２３】
この可動制御基板１２は、固定具１８（例えばネジ）を貫通穴１６に通して固定用穴１７に固定具１８を介して固定している。
【００２４】
また、可動制御基板１２と固定制御基板１３とはケーブル１９により接続し互いに通信可能としている。上ケース１４には動作信号送信素子１１から送信された動作信号２０を透過させる動作信号フィルター２１と、コントローラー５を操作するボタン２２が配置されている。
【００２５】
上記構成において、図１に示すように、コントローラー５のボタン２２を操作することで、補助ファン８に配線７を介して信号を通信し、補助ファン８の動作をコントロールする。
【００２６】
そして、床下６の空間の空気を補助ファン８によって配管部９を介して室内２に供給する。さらに、機器４の受信部３に、動作信号送信素子１１から動作信号フィルター２１を介して動作信号２０を送信し、機器４の動作をコントロールする。
【００２７】
この様に図２に示すごとく動作信号送信素子１１から図１に示すごとく受信部３へ動作信号２０が送信される時、図２に示す動作信号送信素子１１と図１に示す機器４との間に障害物（例えば家具等）がある場合や、動作信号送信素子１１から送信される動作信号２０の範囲外に受信部３が設置されている場合（同壁面にコントローラー５と機器４が設置されている場合）等においては、動作信号２０は無線であるので、受信部３へ動作信号２０を送信することができず、機器４の動作をコントロールすることができない。
【００２８】
そのような場合において、従来であれば、障害物を避けるようにコントローラー５の設置場所を変えるか、動作信号２０の範囲内に受信部３が入るようにコントローラー５の設置場所を変えるか機器４の設置場所を変える必要があった。
【００２９】
上記構成においては、そのような場合には、図３に示すように、可動制御基板１２を、可動制御基板１２の中心を通過し可動制御基板１２の面に対して垂直な軸を基軸に回転させ固定させることにより、動作信号送信素子１１から送信される動作信号２０の範囲を、可動制御基板１２中心を通過し可動制御基板１２の面に対して垂直な軸を基軸に回転させて変更することができる。
【００３０】
その結果、動作信号２０が受信部３に対して送信されるように、可動制御基板１２を固定することができる。
【００３１】
つまり、コントローラー５の設置場所を変えずに動作信号２０の範囲を変えることができるため、コントローラー５の設置場所に制限されず、機器４（例えばエアコン）をコントロールすることができる。
【００３２】
なお、図２、図３では、貫通穴１６を円形として図示したが、図４に示すように円周に沿って長い穴（例えば円形の貫通穴１６の２個以上分）とすることで、固定用穴１７の数を削減することができ、生産性の向上と材料費の削減を図ることが可能となる。
【００３３】
また、図２〜４では、固定用穴１７を下ケース１５に設けて可動制御基板１２を下ケース１５に固定していたが、図５に示すように上ケース１４に固定用穴１７を設けて可動制御基板１２を上ケース１４に固定してもよく、その作用効果に差異を生じない。
【００３４】
また、図１〜５では、動作信号フィルター２１の形状は平面で上ケース１４面と同一平面に配置して示していたが、図６に示すように上ケース１４の面上から球状に例えばカプセル状に突起させて配置することで、可動制御基板１２を上ケース１４の外部に配置することができる。だから、動作信号送信素子１１を上ケース１４外部に配置することができため、動作信号送信素子１１を上ケース１４内部に配置する場合と比較して、上ケース１４により遮られる動作信号２０の範囲を広くすることができる。
【００３５】
また、図１では、吹出口１０を室内２の天面に設置していたが、室内２の壁面または床面にも設置してもよい。
【００３６】
（実施の形態２）
実施の形態１と同じ構成には同符号を付し、詳しい説明は省略する。
【００３７】
図７に示すように、コントローラー５には、可動制御基板１２の面に対して水平の方向かつ同一直線上で略円形状（楕円を含む）の可動制御基板１２に配置された２本の凸状の凸棒２３と、可動制御基板１２の中心を通過し可動制御基板１２の面に対して垂直な軸を基軸に下ケース１５に配置された複数の凹部を有した凹固定受２４とを備えている。この凹固定受２４と凹部を有した固定蓋２５とで、凸棒２３を挟み込んで固定することで可動制御基板１２を固定している。
【００３８】
上記構成において、障害物によって図１の受信部３へ動作信号２０を送信することができず、機器４をコントロールすることができない場合には、図８に示すように可動制御基板１２を、可動制御基板１２中心を通過し可動制御基板１２の面に対して垂直な軸を基軸に回転させるとともに、凸棒２３結ぶ軸を基軸に可動制御基板１２を回転させることにより、動作信号送信素子１１から送信される動作信号２０の範囲を、可動制御基板１２中心を通過し可動制御基板１２の面に対して垂直な軸を基軸に回転させるともに、凸棒２３結ぶ軸を基軸に可動制御基板１２を回転させて変えることができる。
【００３９】
その結果、動作信号２０が受信部３に対して送信されるように、可動制御基板１２を固定することができる。
【００４０】
つまり、コントローラー５の設置場所を変えずに動作信号２０の範囲を変えることができるため、コントローラー５の設置場所に制限されず、機器４（例えばエアコン）をコントロールすることができる。
【００４１】
さらに、単一の動作信号送信素子１１でも動作信号２０を図１に示す機器４の受信部３へ送信することが可能となり、複数の動作信号送信素子１１を取付けた場合と比較して材料費を安くすることが可能となる。
【００４２】
なお、図７，８では、凹固定受２４を下ケース１５に設けて可動制御基板１２を下ケース１５に固定していたが、上ケース１４に凹固定受２４を設けて可動制御基板１２を上ケース１４に固定してもよく、その作用効果に差異を生じない。
【００４３】
また、図７，８では、動作信号フィルター２１の形状は平面で、上ケース１４面と同一平面に配置していたが、図６に示すように上ケース１４面上から突起させて配置することで、可動制御基板１２を上ケース１４外部に配置することができる。つまり、動作信号送信素子１１を上ケース１４内部に配置する場合と比較して、上ケース１４により遮られる動作信号２０の範囲を広くすることができる。
【００４４】
（実施の形態３）
実施の形態２と同じ構成には同符号を付し、詳しい説明は省略する。
【００４５】
図９に示すように、コントローラー５には、略円形状の可動制御基板１２より大きい寸法の略円形状の穴を有し下ケース１５に設けた基板受２６と、基板受２６の穴部に固定可能な基板押え２７とを備え、この基板受２６と基板押え２７とで可動制御基板１２を挟み込み固定している。
【００４６】
上記構成において、図１に示す受信部３へ動作信号２０を送信することができず、機器４をコントロールすることができない場合には、図１０に示すように、可動制御基板１２を、可動制御基板１２の中心を通過し可動制御基板１２の面に対して垂直な軸を基軸に回転させることにより、動作信号送信素子１１から送信される動作信号２０の範囲を、可動制御基板１２の中心を通過し可動制御基板１２の面に対して垂直な軸を基軸に回転させて変えることができる。
【００４７】
その結果、動作信号２０が図１に示す受信部３に対して送信されるように、可動制御基板１２を固定することができる。
【００４８】
つまり、コントローラー５の設置場所を変えずに動作信号２０の範囲を変えることができるため、コントローラー５の設置場所に制限されず、機器４（例えばエアコン）をコントロールすることができる。
【００４９】
なお、図９，１０では、基板受２６を下ケース１５に設けて可動制御基板１２を下ケース１５に固定していたが、上ケース１４に基板受２６を設けて可動制御基板１２を上ケース１４に固定してもよく、その作用効果に差異を生じない。
【００５０】
また、図９，１０では、動作信号フィルター２１の形状は平面で、上ケース１４の面と同一平面に配置していたが、図６に示すように上ケース１４の面上から突起させて配置することで、可動制御基板１２を上ケース１４外部に配置することができる。つまり、動作信号送信素子１１を上ケース１４の外部に配置することができため、動作信号送信素子１１を上ケース１４の内部に配置する場合と比較して、上ケース１４により遮られる動作信号２０の範囲を広くすることができる。
【００５１】
（実施の形態４）
実施の形態１、２、３と同じ構成には同符号を付し、詳しい説明は省略する。
【００５２】
図１１、１２に示すように、コントローラー５には、回転自在な下ケース１５に設けた可動部２８と、可動部２８に取付けられ複数の板穴２９を有した基板設置板３０とを備えており、可動制御基板１２には複数の基板穴３１を最低基板穴３１の数以上（ここでは４個）備えている。
【００５３】
この基板穴３１を通して固定ピン３２を板穴２９に挟み固定することで可動制御基板１２を固定している。
【００５４】
上記構成において、図１に示す受信部３へ動作信号２０を送信することができず、機器４をコントロールすることができない場合には、図１２に示すように、可動部２８を回転させ可動制御基板１２を回転させることにより、動作信号送信素子１１から送信される動作信号２０の範囲を回転させて変えることができる。
【００５５】
その結果、動作信号２０が受信部３に対して送信されるように、可動制御基板１２を固定することができる。
【００５６】
つまり、コントローラー５の設置場所を変えずに動作信号２０の範囲を変えることができるため、コントローラー５の設置場所に制限されず、機器４（例えばエアコン）をコントロールすることができる。
【００５７】
さらに、単一の動作信号送信素子１１でも動作信号２０を図１に示す機器４の受信部３へ送信することが可能となり、複数の動作信号送信素子１１を取付けた場合と比較して材料費を安くすることが可能となる。
【００５８】
なお、図１１、１２では、動作信号フィルター２１の形状は平面で、上ケース１４の面と同一平面に配置していたが、図６に示すように上ケース１４の面上から突起させて配置することで、可動制御基板１２を上ケース１４の外部に配置することができる。つまり、動作信号送信素子１１を上ケース１４の外部に配置することができため、動作信号送信素子１１を上ケース１４の内部に配置する場合と比較して、上ケース１４により遮られる動作信号２０の範囲を広くすることができる。
【産業上の利用可能性】
【００５９】
本発明にかかる給気装置は、動作信号が機器（例えばエアコン）の受信部に対して送信されるように、可動制御基板を固定することができる、つまり、コントローラーの設置場所を変えずに機器（例えばエアコン）の受信部に対して動作信号を送信できるため、コントローラーの設置場所に制限されず、機器（例えばエアコン）の動作をコントロールすることができる給気装置等として有用である。
【符号の説明】
【００６０】
１    給気装置
２    室内
３    受信部
４    機器
５    コントローラー
６    床下
７    配線
８    補助ファン
９    配管部
１０  吹出口
１１  動作信号送信素子
１２  可動制御基板
１３  固定制御基板
１４  上ケース
１５  下ケース
１６  貫通穴
１７  固定用穴
１８  固定具
１９  ケーブル
２０  動作信号
２１  動作信号フィルター
２２  ボタン
２３  凸棒
２４  凹固定受
２５  固定蓋
２６  基板受
２７  基板押え
２８  可動部
２９  板穴
３０  基板設置板
３１  基板穴
３２  固定ピン
【図１】
2014119151.tif 000003
【図２】
2014119151.tif 000004
【図３】
2014119151.tif 000005
【図４】
2014119151.tif 000006
【図５】
2014119151.tif 000007
【図６】
2014119151.tif 000008
【図７】
2014119151.tif 000009
【図８】
2014119151.tif 000010
【図９】
2014119151.tif 000011
【図１０】
2014119151.tif 000012
【図１１】
2014119151.tif 000013
【図１２】
2014119151.tif 000014
【図１３】
2014119151.tif 000015